(57)【要約】      （修正有）【課題】既存技術を利用し、直接既存のランプソケットに接続でき使用できる害虫駆除のモスキートキラーのライトを提供する。【解決手段】モスキートキラーのライトは、ランプ受口に接続しうるランプソケット１と発光素子２とを含み、ランプソケット１には、接続座を設け、前記接続座の内部には、ランプソケット１と電気接続している回路基板を設け、前記回路基板は、照明の制御回路基板５１とモスキートキラーの制御回路基板５２とを含み、発光素子２は、前記接続座を接続し、照明の制御回路基板５１と電気的に接続する。既存の技術と比べて、本考案に関わるモスキートキラーのライトは、元のライトを置換えるが元の回路を使用し、元の回路とスイッチング制御の任意の変更を必要とせず、また、抗蚊や照明の機能を持っている。【選択図】図２
0003207662.tif 000002
【実用新案登録請求の範囲】
【請求項１】
モスキートキラーのライトであって、それは、ランプ受口に接続しうるランプソケット１と発光素子２とを含み、
前記ランプソケット１には、接続座４を設け、前記接続座４の内部には、前記ランプソケット１と電気接続している回路基板を設け、前記回路基板は、照明の制御回路基板５１とモスキートキラーの制御回路基板５２とを含み、
前記発光素子２は、前記照明の制御回路基板５１と電気的に接続しており、モスキートキラー３は、前記モスキートキラーの制御回路基板５２と電気的に接続することを特徴とする、モスキートキラーのライト。
【請求項２】
前記接続座４は、第一接続座４１と、第二接続座４２とを含み、前記第一接続座４１と前記第二接続座４２は、環状の格子４３を通って、相互に接続しており、前記モスキートキラー３は、前記第一接続座４１に接続され、しかも前記環状の格子４３に置かれて、前記発光素子２は、前記第二接続座４２に設けられ、前記第二接続座４２と前記第一接続座４１との間に、導線を収容することに用いられる絶縁スリーブ６を設け、前記照明の制御回路基板５１は、前記導線を通って、前記ランプソケット１に電気的に接続することを特徴とする請求項１に記載のモスキートキラーのライト。
【請求項３】
前記照明の制御回路基板５１と前記モスキートキラーの制御回路基板５２は、フリップフロップと電気的に接続し、前記フリップフロップは、前記ランプソケット１を電気的に接続することを特徴とする請求項２に記載のモスキートキラーのライト。
【請求項４】
前記環状の格子４３は、前記第一接続座４１と一体成型しており、前記第二接続座４２には、前記発光素子２を覆うのに使用されるランプシェード２１を取りはずし及び接続できることを特徴とする請求項２又は請求項３に記載のモスキートキラーのライト。
【請求項５】
前記モスキートキラー３は、高電圧ネット３１と、誘虫ランプ３２とを含み、前記高電圧ネット３１は、中空な環状結構であり、前記前記高電圧ネット３１の上端口は、前記接続座４に接続され、前記誘虫ランプ３２は、前記接続座４に設けられてしかも前記高電圧ネット３１に置かれることを特徴とする請求項４に記載のモスキートキラーのライト。
【請求項６】
前記高電圧ネット３１は、第一接続リング３１１と、第二接続リング３１２とを含み、前記第一接続リング３１１と前記第二接続リング３１２との間に複数のガイドロッド３１３を設けることを特徴とする請求項５に記載のモスキートキラーのライト。
【請求項７】
前記第二接続座４２は、テーパ構造であり、前記絶縁スリーブ６は、前記第二接続座４２の頂部に接続することを特徴とする請求項６に記載のモスキートキラーのライト。
【請求項８】
前記発光素子２は、複数のLEDで組み立てられることを特徴とする請求項７に記載のモスキートキラーのライト。
【考案の詳細な説明】
【技術分野】
【０００１】
本考案は、モスキートキラーのライトに関するものである。
【背景技術】
【０００２】
虫、蚊等の飛翔昆虫は通常走光性を持っているので、光が有る場所ではしばしば飛翔昆虫が集まる処である。蚊に刺されることと飛翔昆虫が集まることを回避するために、人々は、様々なモスキートキラー装置を開発した。例えば、専用のモスキートキラーのランプであって、光線で蚊虫を誘引し、高電圧の電気フードを通って蚊と虫を除き、例えば、飛んで来た蚊虫を感電死させ、或いは、テーブルランプの上に小さなファンを設け、または蚊取線香の線香皿を設け、接着剤層を設けること等である。
【０００３】
しかし、これらの対策や設備において、モスキートキラーの環境保護機能と安全性は、一番優れており、使用中に有毒ガスを形成しない。しかし、この方法で蚊を駆除するのは、特別な専用のモスキートキラー設備を追加購入する必要があり、コストの増加だけでなく、モスキートキラーのランプを吊り上げる必要があり、時間も重力もかかる。
【考案の概要】
【考案が解決しようとする課題】
【０００４】
本考案が解決しようとする技術的課題は、既存技術を利用し、直接既存のランプソケットに接続でき使用できる害虫駆除のモスキートキラーのライトを提供する。
【課題を解決するための手段】
【０００５】
上述した問題を解決するために本考案が採用する技術的手段は、モスキートキラーのライトを提供し、前記モスキートキラーのライトは、ランプ受口に接続しうるランプソケットと発光素子とを含み、前記ランプソケットには、接続座を設け、前記接続座の内部には、前記ランプソケットと電気接続している回路基板を設け、前記回路基板は、照明の制御回路基板とモスキートキラーの制御回路基板とを含み、前記発光素子は、前記接続座を接続し、前記照明の制御回路基板と電気的に接続しており、モスキートキラーは、前記接続座を接続し、しかも前記モスキートキラーの制御回路基板と電気的に接続することを特徴とする
【０００６】
好ましくは、前記接続座は、第一接続座と、第二接続座とを含み、前記第一接続座と前記第二接続座は、環状の格子を通って、相互に接続する。
【０００７】
前記モスキートキラーは、前記第一接続座に接続され、しかも前記環状の格子内に置かれ、前記発光素子は、前記第二接続座に設けられる。
【０００８】
前記モスキートキラーの制御回路基板は、前記第一接続座に設けられ、前記照明の制御回路基板は、前記第二接続座に設けられる。
【０００９】
前記第二接続座と前記第一接続座との間に、導線を収容することに用いられる絶縁スリーブを設け、前記照明の制御回路基板は、前記導線を通って、前記ランプソケットに電気的に接続する。
【００１０】
便宜に、元の回路で前記モスキートキラーを使用するために、前記照明の制御回路基板と前記モスキートキラーの制御回路基板は、フリップフロップと電気的に接続し、前記フリップフロップは、前記ランプソケットと電気的に接続し、前記フリップフロップの設計は、元の回路にある同じ一つを通って、即ち、それぞれ照明の機能、モスキートキラーの機能を起動でき、或いは照明とモスキートキラーの機能を一緒に起動する。
【００１１】
上述した考案に、前記環状の格子は、前記第一接続座と一体成型しており、前記第二接続座には、前記発光素子を覆うのに使用されるランプシェードを取りはずし及び接続でき、そのため、便宜に発光素子を取り換えたり保護したりできる。
【００１２】
上述した各々の考案のモスキートキラーは、需要によって、既存の技術のいずれかを使用でき、好ましくは、前記モスキートキラーは、高電圧ネットと、誘虫ランプとを含み、前記高電圧ネットは、中空な環状結構であり、前記前記高電圧ネットの上端口は、前記第一接続座に接続され、前記誘虫ランプは、前記第一接続座に設けられ、しかも前記高電圧ネットに置かれる。
【００１３】
好ましくは、前記高電圧ネットは、第一接続リングと、第二接続リングとを含み、前記第一接続リングと前記第二接続リングとの間の間隔に複数のガイドロッドを設ける
【００１４】
感電死の蚊虫死体を適当に高電圧ネットから排出させるために、前記第二接続座をテーパ構造に設計でき、前記絶縁スリーブは、前記第二接続座の頂部に接続しており、感電死の蚊虫死体は、第二接続座の上端面に落とした後、前記第二接続座のテーパ面に沿って自動的に滑り下り、高電圧ネットと格子の隙間からスライドさせることにより、蚊虫死体の蓄積とニオイを避ける。
【００１５】
好ましくは、前記発光素子は、複数のLEDで組み立てられる。
【００１６】
既存の技術と比べて、本考案であるモスキートキラーのライトは、直接に元の装置と置換でき、元の回路を使用して、元の回路とスイッチング制御の任意の変更を必要としない、また、抗蚊や照明の機能を持っている。
【図面の簡単な説明】
【００１７】
【図１】本考案に関わる実施形態の組立結構を示す立体図である。
【図２】本考案に関わる実施形態の分解結構を示す立体図である。
【考案を実施するための形態】
【００１８】
下記は、図面と実施例を合わせて、本考案をさらに詳細に記載する。図１、図２に示すように、モスキートキラーのライトであって、それは、ランプソケット１と、発光素子２と、モスキートキラー３と、接続座４とを含む。
【００１９】
前記ランプソケット１は、常用電球の口金に装着できるランプソケットであり、ネジ口の形態で、嵌め口となり、ランプ受口に接続する。
【００２０】
前記接続座４は、第一接続座４１と、第二接続座４２とを含み、前記第一接続座４１は、前記ランプソケット１に接続し、モスキートキラーの制御回路基板５２とフリップフロップを含み、前記第二接続座４２は、前記第一接続座４１の下に設けられ、前記第一接続座４１と前記第二接続座４２は、環状の格子４３を通って、絶縁スリーブ６と相互に接続する。本考案の環状の格子４３は、前記第一接続座４１と一体成型しており、前記第二接続座４２ネジで環状の格子の他の一端に接続し、前記第二接続座４２には、またネジでランプシェード２１を接続する。
【００２１】
前記第二接続座４２は、テーパ構造であり、前記第二接続座４２と前記第一接続座４１との間に、絶縁スリーブ６を設け、前記絶縁スリーブ６は、前記第二接続座４２の頂部と前記第一接続座４１に接続し、即ち、前記絶縁スリーブ６は、前記第一接続座４１と前記第二接続座４２との中間に接続する。
【００２２】
前記第二接続座４２の内部に、照明の制御回路基板５１を設け、前記照明の制御回路基板５１は、前記絶縁スリーブ６に収容された導線（図に示さず）を通って、前記第一接続座４１に設けられた前記フリップフロップ（図に示さず）に電気的に接続し、前記フリップフロップは、前記ランプソケット１に電気的に接続する。
【００２３】
前記発光素子２は、複数のLEDで組み立てられ、前記第二接続座４２内に設けられ、しかも前記照明の制御回路基板５１に電気的に接続する。また、本考案の前記発光素子２の外は、ランプシェード２１を設け、前記ランプシェード２１は、前記第二接続座４２にネジで接続し、便宜に発光素子を取り換えることができる。
【００２４】
前記モスキートキラー３は、前記第一接続座４１に接続され、前記環状の格子４３の内部に置かれ、高電圧ネット３１と、誘虫ランプ３２とを含み、前記高電圧ネット３１は、第一接続リング３１１と、第二接続リング３１２とを含み、前記第一接続リング３１１と前記第二接続リング３１２との間の間隔に複数のガイドロッド３１３を設ける。
【００２５】
モスキートキラーのライトの作動原理は、下記のように、
照明を必要する時、スイッチ（図示せず）を1回押して、フリップフロップのファーストギアを起動し、照明の制御回路を制御してすべてを接通し、各々のLEDランプを点灯して照明機能を起動させる。
【００２６】
照明する際に、同時にモスキートキラーの機能を起動する必要がある時、再び、スイッチを押して、フリップフロップのセカンドギヤを起動し、照明の制御回路は、モスキートキラーの回路と同時に接通し、誘虫ランプと発光素子は、同時に点灯し、照明している時、誘虫ランプは、蚊虫を誘引し、蚊虫は、高電圧ネットと接触している時、高電圧で感電死し、誘虫の死体が前記第二接続座４２の上表面からテーパ面に沿って自動的に滑り下がり、高電圧ネットと環状の格子の隙間から滑り出る。
【００２７】
照明する必要がない時、再び、スイッチを押して、フリップフロップのサードギヤを起動し、照明の制御回路が切断され、唯一モスキートキラーの制御回路が、接通する。
【００２８】
再び、スイッチを押して、フリップフロップのフォースギヤを起動し、同時に照明の制御回路とモスキートキラーの制御回路を切断する。
【００２９】
１            ランプソケット
２            発光素子
３            モスキートキラー
３１          高電圧ネット
３１１        第一接続リング
３１２        第二接続リング
３１３        ガイドロッド
３２          誘虫ランプ
４            接続座
４１          第一接続座
４２          第二接続座
４３          環状の格子
５１          照明の制御回路基板
５２          モスキートキラーの制御回路基板
【図１】
0003207662.tif 000003
【図２】
0003207662.tif 000004